(57)【要約】      （修正有）【課題】ＬＥＤ照明を横に隣接して配置した複数の椅子に対しても連動して点灯することができるとともに、取り扱いも容易であり、既存の椅子にも簡単に改変して使用することができる間接照明付き椅子システムを提供する。【解決手段】座部の周囲に沿ってその下方を照らす間接照明用のＬＥＤ照明５と、差込みプラグ付きコンセント１３と、ＡＣコンバータ１０を有し、一端がコンセントに接続し、他端がＬＥＤ照明に接続されたコード１１と、が座部に設けられた椅子を複数、備えている。椅子の少なくとも１つに設けたコンセントのプラグ１９が外部電源２０に差し込まれて接続されている。また、その他の椅子に設けたコンセントのプラグ２３が１つの椅子のコンセント１６に差し込まれて接続されている。【選択図】図２
0003218279.tif 000002
【実用新案登録請求の範囲】
【請求項１】
座部の周囲に沿ってその下方を照らす間接照明用のＬＥＤ照明と、差込みプラグ付きコンセントと、ＡＣコンバータを有し、一端が前記コンセントに接続し、他端が前記ＬＥＤ照明に接続されたコードと、が座部に設けられた椅子を複数、備え、
前記椅子の少なくとも１つに設けた前記コンセントのプラグが外部電源に差し込まれて接続され、その他の椅子に設けたコンセントのプラグが前記１つの椅子のコンセントに差し込まれて接続されていることを特徴とする間接照明付き椅子システム。
【請求項２】
コンセントは、座部の一辺における一端部に設けられた第１のコンセントと、他端部に設けられた第２のコンセントと、からなり、両コンセントはコードで相互に接続されている請求項１に記載の間接照明付き椅子システム。
【請求項３】
座部の周囲に沿ってその下方を照らす間接照明用のＬＥＤ照明が座部に設けられた椅子を複数、備え、
前記椅子の少なくとも１つには、ＡＣコンバータを有し、一端に設けた差込みプラグが外部電源に差し込まれて接続され、他端が前記ＬＥＤ照明に接続されたコードが設けられ、
その他の椅子には、前記１つの椅子のＬＥＤ照明に設けた接続端子に接続される接続端子付きコードがＬＥＤ照明に接続されていることを特徴とする間接照明付き椅子システム。
【請求項４】
ＬＥＤ照明は、テープ状の基板上に複数の発光部を所定の間隔をおいて直列状に連続して配置した薄型のＬＥＤテープライトである請求項１ないし３のいずれかに記載の間接照明付き椅子システム。
【請求項５】
椅子は、方形状のロビーチェアであり、このロビーチェアの３つの隅部を結ぶようにＬＥＤテープライトがコ字状を形成して連続して設けられている請求項４に記載の間接照明付き椅子システム。
【請求項６】
ＬＥＤテープライトは、断面略チャンネル状のＬＥＤ照明収納用ボックス内にＬＥＤテープライトが開口側を向き、かつ開口側に透明なスライド片を配置した状態で収納されている請求項５に記載の間接照明付き椅子システム。
【請求項７】
ロビーチェアのＬＥＤテープライトが設けられる位置に横長の取付板が設けられ、この取付板の長さ方向に断面略チャンネル状の受片が複数個、所定間隔で設けられ、この受片にＬＥＤテープライトのボックスが受片の開口から押し込まれて着脱可能に取り付けられている請求項６に記載の間接照明付き椅子システム。
【考案の詳細な説明】
【技術分野】
【０００１】
この考案は、間接照明付き椅子システムに関し、より詳細には、例えば病院、診療所、医院、薬局、あるいはホテル等のロビーで使用されるロビーチェアなどの椅子を複数、備え、これら椅子に取り付けられたＬＥＤ照明によって簡単に椅子周辺を照らして安全を確保する等、その有効活用を図ることができる技術に係るものである。
【背景技術】
【０００２】
前記のような椅子システムは、現在のところ市場には出ていない。出願人の調査によれば、先行技術文献として、特許文献１，２が提案されている。特許文献１は、応接用収納可能畳ベンチに関し、該畳ベンチは着座部を椅子として使用でき、常時使用できるように収納部の底台部の四隅にＬＥＤ照明具を４個取り付けたものである（請求項４、段落００２３）。しかし、このＬＥＤ照明具はあくまでも単一のベンチにのみ取り付けられているものであり、複数のベンチに連動して点灯するように取り付けられているものではない。そのため、横に隣接するように配置された複数のベンチまで照明を当てるには、それぞれのベンチにＡＣコンバータや外部電源接続用のプラグを個々に取り付けなければならず、取り扱いが不便であった。
【０００３】
また、特許文献２は、丸太椅子又は台若しくはテーブルに関し、座面又は載置面の裏側に空洞部を形成し、側面に空洞部まで達する開口、切り込み又は隙間を形成し、空洞部にＬＥＤ電球を配置し、ＬＥＤ電球を点灯したとき、光が開口、切り込み又は隙間から外部に漏れ出るようにしたものである。そして、この場合には実施例４以下に椅子が複数あるものも開示されているが、いずれにしてもＬＥＤ電球はそのうちの１つの椅子にしか取り付けられておらず、前記と同様な問題があった。
【先行技術文献】
【特許文献】
【０００４】
【特許文献１】実用新案登録第３２０７３３５号公報
【特許文献２】実用新案登録第３２０９６３６号公報
【考案の概要】
【考案が解決しようとする課題】
【０００５】
そこでこの考案は、前記のような従来の問題を解決して、ＬＥＤ照明を横に隣接して配置した複数の椅子に対しても連動して点灯することができるとともに、取り扱いも容易であり、しかも既存の椅子にも簡単に改変して使用することができる間接照明付き椅子システムを提供することを目的とする。
【課題を解決するための手段】
【０００６】
前記目的を達成するために、請求項１に記載の考案は、座部の周囲に沿ってその下方を照らす間接照明用のＬＥＤ照明と、差込みプラグ付きコンセントと、ＡＣコンバータを有し、一端が前記コンセントに接続し、他端が前記ＬＥＤ照明に接続されたコードと、が座部に設けられた椅子を複数、備え、前記椅子の少なくとも１つに設けた前記コンセントのプラグが外部電源に差し込まれて接続され、その他の椅子に設けたコンセントのプラグが前記１つの椅子のコンセントに差し込まれて接続されていることを特徴とする。
【０００７】
請求項２に記載の考案は、請求項１において、コンセントは、座部の一辺における一端部に設けられた第１のコンセントと、他端部に設けられた第２のコンセントと、からなり、両コンセントはコードで相互に接続されている。
【０００８】
請求項３に記載の考案は、座部の周囲に沿ってその下方を照らす間接照明用のＬＥＤ照明が座部に設けられた椅子を複数、備え、前記椅子の少なくとも１つには、ＡＣコンバータを有し、一端に設けた差込みプラグが外部電源に差し込まれて接続され、他端が前記ＬＥＤ照明に接続されたコードが設けられ、その他の椅子には、前記１つの椅子のＬＥＤ照明に設けた接続端子に接続される接続端子付きコードがＬＥＤ照明に接続されていることを特徴とする。
【０００９】
請求項４に記載の考案は、請求項１ないし３のいずれかにおいて、ＬＥＤ照明は、テープ状の基板上に複数の発光部を所定の間隔をおいて直列状に連続して配置した薄型のＬＥＤテープライトである。
【００１０】
請求項５に記載の考案は、請求項４において、椅子は、方形状のロビーチェアであり、このロビーチェアの３つの隅部を結ぶようにＬＥＤテープライトがコ字状を形成して連続して設けられている。
【００１１】
請求項６に記載の考案は、請求項５において、ＬＥＤテープライトは、断面略チャンネル状のＬＥＤ照明収納用ボックス内にＬＥＤテープライトが開口側を向き、かつ開口側に透明なスライド片を配置した状態で収納されている。
【００１２】
請求項７に記載の考案は、請求項６において、ロビーチェアのＬＥＤテープライトが設けられる位置に横長の取付板が設けられ、この取付板の長さ方向に断面略チャンネル状の受片が複数個、所定間隔で設けられ、この受片にＬＥＤテープライトのボックスが受片の開口から押し込まれて着脱可能に取り付けられている。
【考案の効果】
【００１３】
この考案は、前記のようであって、請求項１に記載の考案は、座部の周囲に沿ってその下方を照らす間接照明用のＬＥＤ照明と、差込みプラグ付きコンセントと、ＡＣコンバータを有し、一端が前記コンセントに接続し、他端が前記ＬＥＤ照明に接続されたコードと、が座部に設けられた椅子を複数、備え、前記椅子の少なくとも１つに設けた前記コンセントのプラグが外部電源に差し込まれて接続され、その他の椅子に設けたコンセントのプラグが前記１つの椅子のコンセントに差し込まれて接続されているので、従来できなかったＬＥＤ照明を横に隣接して配置した複数の椅子に対しても連動して点灯することができる。しかも、複数ある椅子の全てについて連動点灯可能なので、使用上の取扱いも容易なものとなる。したがって、明るくしてインテリアとして利用できることは勿論、災害時に通路の非常照明の代わりとしても使えるので利便性の高いものとなるのに加え、既存の椅子にも簡単に改変して使用することができる。
【００１４】
請求項２に記載の考案は、座部下でコードが絡まるようなことを無くすことができ、コードの整理に便利なものとなる。
【００１５】
請求項３に記載の考案は、座部の周囲に沿ってその下方を照らす間接照明用のＬＥＤ照明が座部に設けられた椅子を複数、備え、前記椅子の少なくとも１つには、ＡＣコンバータを有し、一端に設けた差込みプラグが外部電源に差し込まれて接続され、他端が前記ＬＥＤ照明に接続されたコードが設けられ、その他の椅子には、前記１つの椅子のＬＥＤ照明に設けた接続端子に接続される接続端子付きコードがＬＥＤ照明に接続されているので、請求項１に記載の考案と同様な作用効果が期待することができる。また、前記作用効果に加え、その他の椅子にＡＣコンバータ等を設ける必要がないため、構成を簡素化して製作費を安く抑えることができる。
【００１６】
請求項４に記載の考案は、ＬＥＤ照明として薄型のＬＥＤテープライトを用いることが可能なので、構造をコンパクトにすることができ、取り付け等の取り扱いもきわめて容易である。
【００１７】
請求項５に記載の考案は、方形状のロビーチェアにＬＥＤテープライトをコ字状に設けることができるので、ロビーチェアの形状に沿った点灯が可能となり、装飾的にも価値の高いものとなる。
【００１８】
請求項６に記載の考案は、ＬＥＤ照明収納用ボックス内にＬＥＤテープライトを収納し、その開口側をスライド片で閉じるようにしたので、ＬＥＤテープライトの脱落を確実に防止できるとともに、透明なスライド片からＬＥＤテープライトの光を照らすことができる。
【００１９】
請求項７に記載の考案は、ＬＥＤテープライトを収納したボックスを断面略チャンネル状の受片にその開口から押し込んで着脱可能に取り付けることが可能であるため、ＬＥＤテープライトが故障したときなどにその脱着が容易である。
【図面の簡単な説明】
【００２０】
【図１】この考案の一実施の形態に係わるロビーチェアを示す斜視図である。
【図２】同上のロビーチェアを複数連結した、その裏面側のＬＥＤ照明及びそのコードの配線状態を示す一実施例の概略図である。
【図３】同上のＬＥＤテープライトの取り付け部を拡大して示す要部概略図である。
【図４】図３のＡ−Ａ線に沿う拡大断面図である。
【図５】ＬＥＤテープライトの一例を示す概略図である。
【図６】同上のロビーチェアを複数連結した、その裏面側のＬＥＤ照明及びそのコードの配線状態を示す別の実施例の概略図である。
【考案を実施するための形態】
【００２１】
この考案の一実施の形態を、添付した図面を参照しながら詳細に説明する。
【００２２】
＜一実施例＞
図１においてＡはロビーチェアであり、平面視長方形を呈する座部１と、該座部の長辺側の一辺に立設された背凭れ部２と、座部１の四隅の下方に取り付けられた脚部３と、等から構成されている。５は間接照明用のＬＥＤ照明であり、背凭れ部２のある座部１の一辺以外の三辺下方を照らすようになっている。
【００２３】
前記のロビーチェアＡとほぼ同じ構成のロビーチェアＢ，Ｃが、図２にその裏面側を示すように、例えばクリニック等のロビーに複数（３個）、同じ向きに横に隣接して設置されている。この例ではロビーチェアＡ，Ｂ，Ｃは、背凭れ部２が一方の壁Ｗａ近くに位置し、かつロビーチェアＡの、ロビーチェアＢと反対側がもう一方の壁Ｗｂ近くに位置するような配置関係で設置されている。
【００２４】
ロビーチェアＡ，Ｂ，Ｃの、それぞれ座部１の背凭れ部２以外の三辺の縁部に対応する裏面には、ＬＥＤ照明５としての薄型のＬＥＤテープライト５ａ，５ｂ，５ｃが、ＬＥＤテープライト５ｂの両端部にＬＥＤテープライト５ａ，５ｃの一方の端部が近接して連続可能なようにコ字状に配置されている。ＬＥＤテープライト５ａ，５ｂ，５ｃは同じ構成のものであり、所定の長さに切断されて座部１の裏面にその発光部を下方に向けて取り付けられている。ＬＥＤテープライト５ａ，５ｂ，５ｃは、それぞれ近接して対向する端部がコード６，７により相互に接続されている。また、ＬＥＤテープライト５ａの他方の端部側にはＡＣコンバータ１０を有するプラグ付きコード１１が接続され、プラグ１２が背凭れ部２下に配置されたコンセント１３（配線用差込接続器）に接続される。コンセント１３は背凭れ部２のある座部１の一辺における一端部に設けられ、コード１５で他端部に設けたコンセント１６と相互に接続されている。
【００２５】
ロビーチェアＢ，ＣのＬＥＤテープライト５ａ，５ｂ，５ｃやコード６，７、ＡＣコンバータ１０を有するプラグ付きコード１１等の構成は、ロビーチェアＡのそれと同様になっている。同様の構成には同じ符号を付して詳しい説明は省略する。
【００２６】
ロビーチェアＡのコンセント１３に接続されたコード１８のプラグ１９は、外部電源として壁Ｗｂに設置された１００Ｖコンセント２０と接続される。ロビーチェアＡのコンセント１６には隣のロビーチェアＢのコンセント１３に接続されたプラグ付きコード２２のプラグ２３が接続され、ロビーチェアＢの他方のコンセント１６には隣のロビーチェアＣのコンセント１３に接続されたプラグ付きコード２２のプラグ２３が接続される。このようにしてロビーチェアＡ，Ｂ，Ｃに設けられたＬＥＤテープライト５ａ，５ｂ，５ｃはそれぞれ共通の電源から電気の供給を受けられるように相互にコード等によって接続されるようになっている。
【００２７】
次に、ＬＥＤテープライト５ａ，５ｂ，５ｃの具体的な取付け構成について説明する。図３，４に示すように、座部１の背凭れ部２以外の三辺の縁部裏面には、横長の取付板２５が該縁部に沿って固定して設けられている。この取付板には断面略チャンネル状の樹脂製受片２６が開口側を外向き（取付板２５と反対側）にして複数、所定間隔をおいてビス２７で固定されている。受片２６には断面略チャンネル状で横長の樹脂製ＬＥＤ照明収納用ボックス２８が開口側を外向き（受片２６と反対側）にして受片２６にその開口から嵌合して着脱可能に装着されている。装着に際しては手で持ったボックス２８を開口側と反対側の底部から受片２６の開口に向けて押し付けるように入れてやると弾性圧接した状態で嵌合する。
【００２８】
ＬＥＤ照明収納用ボックス２８の開口側の両端縁には互いに内向きに屈曲した支片２９が一体に設けられており、その内側にはＬＥＤテープライト５ａ，５ｂ，５ｃを収納した後の該テープライトからの光を通して照らすことが可能であるとともに、ＬＥＤテープライト５ａ，５ｂ，５ｃの収納用ボックス２８からの抜け出しを防止する透明な樹脂製スライド片３０が配置されている。
【００２９】
ＬＥＤ照明収納用ボックス２８内に収納されたＬＥＤテープライト５ａ，５ｂ，５ｃは、図５にその一例としてテープライト５ｂとテープライト５ｃの接続部を示すようにプリント配線を有するテープ状の基板３１，３２の上に発光ダイオード（発光部）３３，３４等を所定の間隔をおいて連続的に複数個、配置したものであり、使用に際しては切断箇所３５，３６で所定の長さに切断されて用いられる。また、各テープライトは端部に接続端子としてのコネクタ３７，３８を有し、これらコネクタにコード７のコネクタ４０，４１を接続することにより相互に導通可能になっている。テープライト５ｂとテープライト５ａの接続部の接続構成も同様である。
【００３０】
使用に際しては、図２に示すように、ロビーチェアＡ，Ｂ，Ｃのコード１１のプラグ１２をコンセント１３に差し込んで接続するとともに、ロビーチェアＢ，Ｃのコード２２のプラグ２３をコンセント１６にそれぞれ差し込んで接続する。その上でロビーチェアＡにあるコード１８のプラグ１９を壁Ｗｂにあるコンセント２０に差し込んで接続する。これにより全てのロビーチェアＡ，Ｂ，Ｃが電気的に接続して通電可能な状態になり、図示しない電源スイッチをオンすると、電源からの１００Ｖの交流電圧がＡＣコンバータ１０で１２Ｖの直流電圧に変換され、ロビーチェアＡ，Ｂ，Ｃに設けたＬＥＤテープライト５ａ，５ｂ，５ｃに流れ、この電圧下で発光部としての発光ダイオード３３，３４等が発光して点灯し、その周辺下方を照らす。
【００３１】
すなわち、ロビーチェアＡのＬＥＤテープライト５ａ，５ｂ，５ｃは、電源であるコンセント２０からコード１８，１１を経てコンバータ１０でＡＣ変換された直流電圧（１２Ｖ）により通電する。ロビーチェアＢのＬＥＤテープライト５ａ，５ｂ，５ｃは、ロビーチェアＡのコード１５と接続したコード２２を経て同様に流れる直流電圧により通電する。ロビーチェアＣのＬＥＤテープライト５ａ，５ｂ，５ｃは、ロビーチェアＢのコード１５と接続したコード２２を経て同様に流れる直流電圧により通電する。これにより、ロビーチェアＡ，Ｂ，Ｃのすべてのテープライト５ａ，５ｂ，５ｃの発光ダイオード３３，３４等が点灯することになる。
【００３２】
前記のような構成のロビーチェアＡ，Ｂ，Ｃにあっては、各ロビーチェアにコンバータ１０とプラグ付きコード２２を有しているので、全てのロビーチェアが単独でも使用可能である。また１つのロビーチェアに対する電気容量が１．５Ａなので、ロビーチェアを最大１０まで連結可能である。
【００３３】
ロビーチェアＡ，Ｂ，ＣにおいてＬＥＤテープライト５ａ，５ｂ，５ｃの中の一部の発光ダイオードが故障したりして使用不能になったときは、該当の発光ダイオードのあるテープライトが収納された収納用ボックス２８を、例えばマイナスドライバーの先をボックス２８と受片２６の嵌合隙間に差し込んで受片２６から取り外す。そして、取り外したボックス２８のスライド片３０を長さ方向にスライドさせて引き出し、該当のテープライトをボックス２８内から取り出す。そして、該当のテープライトの故障した発光ダイオードのある切断箇所３５，３６をハサミ等で切断する。そして、使用不能になった発光ダイオードのあるテープライトを補修するか、あるいはそれに代えて新たなテープライトを接続する。補修あるいは接続後はそのテープライトをボックス２８内に入れ、スライド片３０で覆ったうえ再びボックス２８を受片２６に押し入れて嵌合すると、取り替え（交換）作業が終了する。このように発光ダイオードが故障して使用不能になったときにも該当の発光ダイオードのあるテープライトが収納された収納用ボックス２８を受片２６からワンタッチで着脱させることが可能なので、利便性の高いものとなる。
【００３４】
前記のような構成からなるので、ロビーチェアの後背側で繋げたコード等を介して複数のロビーチェアＡ，Ｂ，Ｃを通電可能に連結し、従来できなかったＬＥＤ照明を横に隣接して配置した複数の椅子（ロビーチェア）に対しても連動して点灯することができる。そして、テープライト５ａ，５ｂ，５ｃを使用した照明で、例えば１台当たり最大約３ｍまでの配線で行うことができる。したがって、明るくしてインテリアとして利用できることは勿論、災害時に通路の非常照明の代わりとしても使えるので便利である。しかも、既存のロビーチェアＡ，Ｂ，Ｃにも簡単に改変して使用することができる。また、前記では説明しなかったが、タイマーをセットして通電のオンオフをすることもでき、使用に便利である。
【００３５】
＜別の実施例＞
図６は別の実施例を示し、この実施例において、前記実施例と相違する点は、ＡＣコンバータ１０を設けるのはロビーチェアＡのみに限定し、他のロビーチェアＢ，Ｃには設けないようにした点、ロビーチェアＡ，Ｂ，Ｃ相互を、つまり、ロビーチェアＡのＬＥＤテープライト５ｃとロビーチェアＢのＬＥＤテープライト５ａ、ロビーチェアＢのＬＥＤテープライト５ｃとロビーチェアＣのＬＥＤテープライト５ａ、をそれぞれ接続端子付きのコードで接続した点にあり、その他の構成は同じである。
【００３６】
すなわち、接続にはロビーチェアＡのＬＥＤテープライト５ｃに設けたコード４６の接続端子４７にロビーチェアＢのＬＥＤテープライト５ａに設けたコード４８の接続端子４９を接続するとともに、ロビーチェアＢのＬＥＤテープライト５ａに設けたコード４６の接続端子４７にロビーチェアＣのＬＥＤテープライト５ａに設けたコード４８の接続端子４９を接続する。これにより、ロビーチェアＡ，Ｂ，Ｃのすべてのテープライト５ａ，５ｂ，５ｃが通電可能となる。
【００３７】
使用に際しては、前記実施例と同様にロビーチェアＡを壁Ｗｂのコンセント２０に近い位置とし、プラグ付きコード１１のプラグ１２をコンセント２０に差し込んで接続する。また、ロビーチェアＡのコード４６の接続端子４７にロビーチェアＢのコード４８の接続端子４９を接続し、さらにロビーチェアＢのコード４６の接続端子４７にロビーチェアＣのコード４８の接続端子４９を接続し、全てのロビーチェアＡ，Ｂ，Ｃが電気的に接続して通電可能な状態にする。これにより電源スイッチをオンすると、ロビーチェアＡ，Ｂ，Ｃに設けたＬＥＤテープライト５ａ，５ｂ，５ｃの発光ダイオードが発光し、その周辺下方を点灯することになる。
【００３８】
この実施例においても前記実施例と同様な作用効果を期待することができる。そのほかにコンセント等の部品数を少なくできて、その取付のための作業を減らして製作費用を抑えることができるのに加え、ＡＣコンバータ１０も１つのロビーチェアＡにのみ設置すればよいので、その設置費用も安価に抑えることができる。
【００３９】
すなわち、前記のような構成のロビーチェアＡ，Ｂ，Ｃにあっては、基のロビーチェアＡがないと残りのロビーチェアＢ，Ｃが使用できなくなったり、あるいはＡＣコンバータ１０の容量でロビーチェアの連結数が決まってくるので、連結しすぎると危険になるというデメリットがあるものの、前記実施例ではできなかったコンセント等の機器の取付作業を少なくすることができ、しかもＡＣコンバータ１０も１つで済むため費用も安価に抑えることができるメリットがある。
【００４０】
前記各実施例においては、壁Ｗｂに設けたコンセント２０を電源とした例を示したが、例えば災害等により停電となり、電源が確保できない場合には、非常用電源としてリチウム電池（リチウムイオンバッテリー）や蓄電池、アルカリ電池等を使っての実施も可能となっている。すなわち、図示省略しているが前記のロビーチェアＡにあるコード１８のプラグ１９を前記非常用電源に接続することにより、簡単に電源を確保してテープライトを点灯可能な状態に復帰させることができ、暗闇での移動の安全を図ることができる。
【００４１】
前記実施の形態の各実施例で示したＬＥＤテープライト５ａ，５ｂ，５ｃは一例であり、これ以外のＬＥＤテープライトを用いてもよい。また、ＬＥＤテープライト５ａ，５ｂ，５ｃを座部裏面にコ字状に配置した例を示したが、配置例はこれに限定するものではない。そのほかロビーチェアＡ，Ｂ，Ｃの形状等をはじめとする構成も好ましい一例を示し、実用新案登録請求の範囲で適宜変更可能であることは言うまでもない。
【符号の説明】
【００４２】
Ａ，Ｂ，Ｃ  ロビーチェア
１  座部
２  背凭れ部
３  脚部
５  ＬＥＤ照明
５ａ，５ｂ，５ｃ  ＬＥＤテープライト
６，７，１１，１５，１８，２２  コード
１０  ＡＣコンバータ
１２，１９，２３  プラグ
１３，１６，２０  コンセント
２６  受片
２８  ＬＥＤ照明収納用ボックス
２９  支片
３０  スライド片
３１，３２  基板
３３，３４  発光ダイオード（発光部）
３７，３８，４０，４１  コネクタ
４６，４８  コード
４７，４９  接続端子
【図１】
0003218279.tif 000003
【図２】
0003218279.tif 000004
【図３】
0003218279.tif 000005
【図４】
0003218279.tif 000006
【図５】
0003218279.tif 000007
【図６】
0003218279.tif 000008